(57)【要約】【課題】ユーザおよび表示装置にとって好適な表示をより確実に実現できる技術を提供する。【解決手段】本発明の表示装置は、入力画像データに基づく画像を表示手段に表示する表示制御手段と、表示対象とされるデータ輝度範囲の最大データ輝度としてユーザによって指定された値に関する情報を取得する輝度取得手段と、前記輝度取得手段によって取得された情報に基づいて前記表示手段の上限表示輝度を制御する輝度制御を行う制御手段と、を有し、前記制御手段は、前記最大データ輝度が第１の最大データ輝度である場合に、前記表示手段の上限表示輝度が第１の上限表示輝度に制御され、前記最大データ輝度が前記第１の最大データ輝度よりも低い第２の最大データ輝度である場合に、前記表示手段の上限表示輝度が前記第１の上限表示輝度よりも低い第２の上限表示輝度に制御されるように、前記輝度制御を行う。【選択図】図６
2019053147.tif 000002
【特許請求の範囲】
【請求項１】
入力画像データに基づく画像を表示手段に表示する表示制御手段と、
表示対象とされるデータ輝度範囲の最大データ輝度としてユーザによって指定された値に関する情報を取得する輝度取得手段と、
前記輝度取得手段によって取得された情報に基づいて前記表示手段の上限表示輝度を制御する輝度制御を行う制御手段と、
を有し、
前記制御手段は、
前記最大データ輝度が第１の最大データ輝度である場合に、前記表示手段の上限表示輝度が第１の上限表示輝度に制御され、
前記最大データ輝度が前記第１の最大データ輝度よりも低い第２の最大データ輝度である場合に、前記表示手段の上限表示輝度が前記第１の上限表示輝度よりも低い第２の上限表示輝度に制御されるように、
前記輝度制御を行う
ことを特徴とする表示装置。
【請求項２】
前記制御手段は、
前記最大データ輝度が前記第１の最大データ輝度である場合に、前記入力画像データのデータ輝度と前記表示手段の表示輝度との対応関係である入出力特性として、前記第１の最大データ輝度に前記第１の上限表示輝度が対応付けられた第１の特性が実現され、
前記最大データ輝度が前記第２の最大データ輝度である場合に、前記入出力特性として、前記第２の最大データ輝度に前記第２の上限表示輝度が対応付けられた第２の特性が実現されるように、
前記輝度制御を行う
ことを特徴とする請求項１に記載の表示装置。
【請求項３】
前記第２の特性は、前記第１の特性と、前記第２の最大データ輝度に前記第１の上限表示輝度が対応付けられた第３の特性との間の特性である
ことを特徴とする請求項２に記載の表示装置。
【請求項４】
撮像装置によって撮像された入力画像データに基づく画像を表示手段に表示する表示制御手段と、
前記撮像装置の露出量の基準値としてユーザによって指定された値に関する情報を取得する露出取得手段と、
前記露出取得手段によって取得された情報に基づいて前記表示手段の上限表示輝度を制御する輝度制御を行う制御手段と、
を有し、
前記制御手段は、
前記基準値が第１の値である場合に、前記表示手段の上限表示輝度が第１の上限表示輝度に制御され、
前記基準値が前記第１の値よりも小さい第２の値である場合に、前記表示手段の上限表示輝度が前記第１の上限表示輝度よりも低い第２の上限表示輝度に制御されるように、前記輝度制御を行う
ことを特徴とする表示装置。
【請求項５】
前記入力画像データは、撮像装置によって撮像された画像データであり、
前記表示装置は、前記撮像装置の露出量の基準値としてユーザによって指定された値に関する情報を取得する露出取得手段、をさらに有し、
前記制御手段は、前記露出取得手段によって取得された情報にさらに基づいて、
前記基準値が第１の値である場合に、前記表示手段の上限表示輝度が第３の上限表示輝度に制御され、
前記基準値が前記第１の値よりも小さい第２の値である場合に、前記表示手段の上限表示輝度が前記第３の上限表示輝度よりも低い第４の上限表示輝度に制御されるように、前記輝度制御を行う
ことを特徴とする請求項１〜３のいずれか１項に記載の表示装置。
【請求項６】
前記基準値は、ユーザによって指定された露出モードに応じた値であり、
前記第１の値は、屋外での撮像のための露出モードに応じた値であり、
前記第２の値は、屋内での撮像のための露出モードに応じた値である
ことを特徴とする請求項４または５に記載の表示装置。
【請求項７】
前記制御手段は、前記入力画像データのデータ輝度と前記表示手段の表示輝度との対応関係である入出力特性として、表示対象とされるデータ輝度範囲の最大データ輝度よりも高いデータ輝度に前記上限表示輝度が対応付けられた特性が実現されるように、前記輝度制御を行う
ことを特徴とする請求項１〜６のいずれか１項に記載の表示装置。
【請求項８】
前記制御手段は、表示対象とされるデータ輝度範囲において、前記入力画像データのデータ輝度と前記表示手段の表示輝度との対応関係である入出力特性として、データ輝度の増加に対して表示輝度が線形に増加する特性が実現されるように、前記輝度制御を行う
ことを特徴とする請求項１〜７のいずれか１項に記載の表示装置。
【請求項９】
前記制御手段は、所定の表示モードが設定されている場合に、前記輝度制御を行う
ことを特徴とする請求項１〜８のいずれか１項に記載の表示装置。
【請求項１０】
前記表示手段は、
発光部と、
前記発光部から発せられた光を前記入力画像データに基づいて透過することにより、前記画像を表示する表示パネルと、
を有し、
前記制御手段は、前記発光部の発光輝度を制御する処理を少なくとも行うことにより、前記表示手段の上限表示輝度を制御する
ことを特徴とする請求項１〜９のいずれか１項に記載の表示装置。
【請求項１１】
前記制御手段は、前記入力画像データの各階調値を変換する処理を少なくとも行うことにより、前記表示手段の上限表示輝度を制御する
ことを特徴とする請求項１〜１０のいずれか１項に記載の表示装置。
【請求項１２】
入力画像データに基づく画像を表示手段に表示する表示制御ステップと、
表示対象とされるデータ輝度範囲の最大データ輝度としてユーザによって指定された値に関する情報を取得する取得ステップと、
前記取得ステップにおいて取得された情報に基づいて前記表示手段の上限表示輝度を制御する制御ステップと、
を有し、
前記制御ステップでは、
前記最大データ輝度が第１の最大データ輝度である場合に、前記表示手段の上限表示輝度が第１の上限表示輝度に制御され、
前記最大データ輝度が前記第１の最大データ輝度よりも低い第２の最大データ輝度である場合に、前記表示手段の上限表示輝度が前記第１の上限表示輝度よりも低い第２の上
限表示輝度に制御される
ことを特徴とする表示装置の制御方法。
【請求項１３】
撮像装置によって撮像された入力画像データに基づく画像を表示手段に表示する表示制御ステップと、
前記撮像装置の露出量の基準値としてユーザによって指定された値に関する情報を取得する取得ステップと、
前記取得ステップにおいて取得された情報に基づいて、前記表示手段の上限表示輝度を制御する制御ステップと、
を有し、
前記制御ステップでは、
前記基準値が第１の値である場合に、前記表示手段の上限表示輝度が第１の上限表示輝度に制御され、
前記基準値が前記第１の値よりも小さい第２の値である場合に、前記表示手段の上限表示輝度が前記第１の上限表示輝度よりも低い第２の上限表示輝度に制御される
ことを特徴とする表示装置の制御方法。
【請求項１４】
コンピュータを、請求項１〜１１のいずれか１項に記載の表示装置の各手段として機能させるためのプログラム。
【発明の詳細な説明】
【技術分野】
【０００１】
本発明は、表示装置及びその制御方法に関する。
【背景技術】
【０００２】
近年、広いダイナミックレンジを有する画像データ（撮像画像データ；被写体の画像を表す画像データ）を撮像可能な撮像装置が増している。広いダイナミックレンジは「Ｈｉｇｈ  Ｄｙｎａｍｉｃ  Ｒａｎｇｅ（ＨＤＲ）」などと呼ばれ、ＨＤＲを有する画像データは「ＨＤＲ画像データ」などと呼ばれている。そして、画像制作、装置（画像処理装置、表示装置、等）の開発、等の現場において、ＨＤＲ画像データが想定される機会が増している。
【０００３】
ＨＤＲ画像データに忠実な画像を表示するためには、高性能な表示装置が必要となる。例えば、上限表示輝度が高く、且つ、コントラストが高い画像を表示可能であり、且つ、ダイナミックレンジが広い画像を表示可能な表示装置が必要となる。ＨＤＲ画像データに忠実な画像を表示可能な表示装置を、以後、「ＨＤＲ表示装置」と記載する。例えば、上限表示輝度が１０００ｃｄ／ｍ２以上であり、且つ、下限表示輝度が０．０３ｃｄ／ｍ２以下であるという条件を満たす表示装置をＨＤＲ表示装置と定義してもよい。上限表示輝度が１０００ｃｄ／ｍ２以上であり、且つ、下限表示輝度が０．０５ｃｄ／ｍ２以下であるという条件を満たす液晶表示装置をＨＤＲ表示装置と定義してもよい。上限表示輝度が５４０ｃｄ／ｍ２以上であり、且つ、下限表示輝度が０．０００５ｃｄ／ｍ２以下であるという条件を満たす自発光型表示装置（有機ＥＬ表示装置など）をＨＤＲ表示装置と定義してもよい。
【０００４】
しかしながら、種々の現場において、ＨＤＲ表示装置が使用できるとは限らない。例えば、撮影現場では、電源の制約、携行品の制約、等により、非ＨＤＲ表示装置が使用されることが多い。非ＨＤＲ表示装置は、ＨＤＲ表示装置でないＳＤＲ（Ｓｔａｎｄａｒｄ  Ｄｙｎａｍｉｃ  Ｒａｎｇｅ）表示装置、表示能力が制限されたＨＤＲ表示装置、等である。非ＨＤＲ表示装置は、例えば、表示輝度のダイナミックレンジが狭く、且つ、上限表示輝度が低い表示装置である。撮像装置に付属された小型の表示装置は非ＨＤＲ表示装置であることが多い。そして、非ＨＤＲ表示装置は、ＨＤＲ画像データに忠実な画像を表示できない。上限表示輝度が１００ｃｄ／ｍ２以下の液晶表示装置や自発光型表示装置を非ＨＤＲ表示装置と定義してもよいし、上限表示輝度が５００ｃｄ／ｍ２以下の液晶表示装置や自発光型表示装置を非ＨＤＲ表示装置と定義してもよい。
【０００５】
そこで、非ＨＤＲ表示装置では、ＨＤＲ画像データの階調性をユーザが確認できるように、ＨＤＲ画像データのデータ輝度と非ＨＤＲ表示装置の表示輝度との対応関係が図４に示す対応関係であるＨＤＲアシスト表示が行われることがある。図４の対応関係では、下限データ輝度から上限データ輝度へのＨＤＲ画像データのデータ輝度の増加に対して、非ＨＤＲ表示装置の表示輝度が下限表示輝度から上限表示輝度へ線形に増加する。
【０００６】
しかしながら、上述したＨＤＲアシスト表示では、全体的に暗い画像が表示されることがある。そのため、図６の実線と破線のように、ＨＤＲアシスト表示において表示対象とされるデータ輝度範囲の最大データ輝度を複数のデータ輝度（４００％や１６００％）の間で適宜切り替える技術が提案されている。
【先行技術文献】
【特許文献】
【０００７】
【特許文献１】特開２０１０−２２４０１４号公報
【発明の概要】
【発明が解決しようとする課題】
【０００８】
近年では、非ＨＤＲ表示装置などの表示装置の上限表示輝度が増加傾向にある。そして、ＨＤＲアシスト表示では、上限表示輝度の増加により、表示装置の消費電力や温度が増加する。そのため、ＨＤＲアシスト表示が表示装置にとって好ましくないことがある。
【０００９】
本発明は、ユーザおよび表示装置にとって好適な表示をより確実に実現できる技術を提供することを目的とする。
【課題を解決するための手段】
【００１０】
本発明の第１の態様は、
入力画像データに基づく画像を表示手段に表示する表示制御手段と、
表示対象とされるデータ輝度範囲の最大データ輝度としてユーザによって指定された値に関する情報を取得する輝度取得手段と、
前記輝度取得手段によって取得された情報に基づいて前記表示手段の上限表示輝度を制御する輝度制御を行う制御手段と、
を有し、
前記制御手段は、
前記最大データ輝度が第１の最大データ輝度である場合に、前記表示手段の上限表示輝度が第１の上限表示輝度に制御され、
前記最大データ輝度が前記第１の最大データ輝度よりも低い第２の最大データ輝度である場合に、前記表示手段の上限表示輝度が前記第１の上限表示輝度よりも低い第２の上限表示輝度に制御されるように、
前記輝度制御を行う
ことを特徴とする表示装置である。
【００１１】
本発明の第２の態様は、
撮像装置によって撮像された入力画像データに基づく画像を表示手段に表示する表示制御手段と、
前記撮像装置の露出量の基準値としてユーザによって指定された値に関する情報を取得する露出取得手段と、
前記露出取得手段によって取得された情報に基づいて前記表示手段の上限表示輝度を制御する輝度制御を行う制御手段と、
を有し、
前記制御手段は、
前記基準値が第１の値である場合に、前記表示手段の上限表示輝度が第１の上限表示輝度に制御され、
前記基準値が前記第１の値よりも小さい第２の値である場合に、前記表示手段の上限表示輝度が前記第１の上限表示輝度よりも低い第２の上限表示輝度に制御されるように、前記輝度制御を行う
ことを特徴とする表示装置である。
【００１２】
本発明の第３の態様は、
入力画像データに基づく画像を表示手段に表示する表示制御ステップと、
表示対象とされるデータ輝度範囲の最大データ輝度としてユーザによって指定された値に関する情報を取得する取得ステップと、
前記取得ステップにおいて取得された情報に基づいて前記表示手段の上限表示輝度を制御する制御ステップと、
を有し、
前記制御ステップでは、
前記最大データ輝度が第１の最大データ輝度である場合に、前記表示手段の上限表示輝度が第１の上限表示輝度に制御され、
前記最大データ輝度が前記第１の最大データ輝度よりも低い第２の最大データ輝度である場合に、前記表示手段の上限表示輝度が前記第１の上限表示輝度よりも低い第２の上限表示輝度に制御される
ことを特徴とする表示装置の制御方法である。
【００１３】
本発明の第４の態様は、
撮像装置によって撮像された入力画像データに基づく画像を表示手段に表示する表示制御ステップと、
前記撮像装置の露出量の基準値としてユーザによって指定された値に関する情報を取得する取得ステップと、
前記取得ステップにおいて取得された情報に基づいて、前記表示手段の上限表示輝度を制御する制御ステップと、
を有し、
前記制御ステップでは、
前記基準値が第１の値である場合に、前記表示手段の上限表示輝度が第１の上限表示輝度に制御され、
前記基準値が前記第１の値よりも小さい第２の値である場合に、前記表示手段の上限表示輝度が前記第１の上限表示輝度よりも低い第２の上限表示輝度に制御される
ことを特徴とする表示装置の制御方法である。
【００１４】
本発明の第５の態様は、コンピュータを、上述した表示装置の各手段として機能させるためのプログラムである。
【発明の効果】
【００１５】
本発明によれば、ユーザおよび表示装置にとって好適な表示をより確実に実現できる。
【図面の簡単な説明】
【００１６】
【図１】実施例１〜３に係る撮像装置の構成例
【図２】実施例１〜３に係る表示処理部の構成例
【図３】実施例１〜３に係る特性変換処理に関する機能部の一例
【図４】実施例１〜３に係る入出力特性の一例
【図５】実施例１〜３に係る入出力特性の一例
【図６】実施例１〜３に係る入出力特性の一例
【図７】実施例１に係る最大データ輝度と上限表示輝度の一例
【図８】実施例２に係る露出モードと上限表示輝度の一例
【図９】実施例３に係る最大データ輝度と露出モードと上限表示輝度の一例
【発明を実施するための形態】
【００１７】
＜実施例１＞
以下、本発明の実施例１について説明する。なお、以下では、本実施例に係る表示装置が撮像装置（デジタルカメラ）に設けられている例を説明するが、本実施例に係る表示装置は、撮像装置とは別体の装置であってもよい。さらに、以下では、表示装置の表示部が、バックライトユニットと液晶パネルを有する液晶表示部である例を説明するが、表示部は液晶表示部に限られない。例えば、発光部と、発光部から発せられた光を入力画像データに基づいて透過することにより画像を表示する表示パネルと、を有する他の表示部が使用されてもよい。具体的には、表示素子としてＭＥＭＳ（Ｍｉｃｒｏ  Ｅｌｅｃｔｒｏ  
Ｍｅｃｈａｎｉｃａｌ  Ｓｙｓｔｅｍ）シャッターを用いたＭＥＭＳシャッター方式表示部が使用されてもよい。自発光型の表示部が使用されてもよい。具体的には、有機ＥＬ（Ｅｌｅｃｔｒｏ−Ｌｕｍｉｎｅｓｃｅｎｃｅ）表示パネル、プラズマ表示パネル、等が使用されてもよい。
【００１８】
本実施例に係る撮像装置（デジタルビデオカメラ）の構成について、図１を用いて説明する。図１は、本実施例に係る撮像装置の構成例を示す。
【００１９】
制御部１０１は、撮像装置の様々な処理を行う。制御部１０１には、信号処理部１０３、記録・再生部１０４、液晶表示部１０５、バックライト駆動部１０９、電源操作部１１２、操作部１１３、メモリ１１４、ＨＤＲアシストモード検出部１１５、及び、屋内／屋外モード検出部１１６が接続されている。制御部１０１は、データ処理部１１０と表示処理部１１１を有し、液晶表示部１０５は、タッチパネル１０６、液晶パネル１０７、及び、バックライトユニット１０８を有する。
【００２０】
画像・音声入力部１０２は、画像を表すアナログ信号である画像信号と、音声を表すアナログ信号である音声信号とを取得し、画像信号と音声信号を信号処理部１０３へ出力する。本実施例では、画像・音声入力部１０２は、撮像部（撮像センサ；撮像素子）と音声入力部（マイクロフォン）とを有する。被写体からの光は、レンズを介して、撮像部に入射する。それにより、被写体を表す光学像が撮像部に形成（結像）される。撮像部は、形成された光学像を、所定の信号フォーマットを有する画像信号に変換し、画像信号を出力する。音声入力部は、入力された音声を音声信号に変換し、音声信号を出力する。
【００２１】
信号処理部１０３は、画像・音声入力部１０２から出力されたアナログ信号に所定の信号処理を施す。所定の信号処理は、画像信号に対する処理、音声信号に対する処理、または、それらの両方を含む。所定の信号処理は、例えば、ノイズ成分を低減するノイズリダクション処理、信号レベルを一定に保つＡＧＣ（Ａｕｔｏｍａｔｉｃ  Ｇａｉｎ  Ｃｏｎｔｒｏｌ）処理、露出を制御する露出制御、等を含む。信号処理部１０３は、所定の信号処理後のアナログ信号をデジタル信号（デジタルデータ）に変換するＡ／Ｄ変換部を有する。信号処理部１０３は、Ａ／Ｄ変換部によって得られたデジタルデータ（画像を表すデジタルデータである画像データ、及び、音声を表すデジタルデータである音声データ）を制御部１０１へ出力する。
【００２２】
記録・再生部１０４は、記録処理、再生処理、等を行う。記録処理は、制御部１０１から記録・再生部１０４へ出力されたデジタルデータ（画像データと音声データ）を記憶部に記録する処理である。再生処理は、記憶部からデジタルデータ（画像データと音声データ）を読み出し、読み出したデジタルデータを制御部１０１へ出力する処理である。本実施例では、記録・再生部１０４は、制御部１０１からの指示に応じて記録処理と再生処理を切り替えて実行する。
【００２３】
タッチパネル１０６は、撮像装置に対する様々な操作を受け付け可能な操作部である。例えば、タッチパネル１０６は、表示モード設定操作、表示モード解除操作、露出モード設定操作、露出モード解除操作、記録操作、再生操作、等を受け付けることができる。表示モード設定操作は、表示モードの設定を指示する操作であり、表示モード解除操作は、表示モードの設定の解除を指示するモード解除操作である。露出モード設定操作は、露出モードの設定を指示する操作であり、露出モード解除操作は、露出モードの設定の解除を指示するモード解除操作である。記録操作は、記録処理の実行を指示する操作であり、再生操作は、再生処理の実行を指示する操作である。具体的には、タッチパネル１０６は、タッチパネル１０６に対するユーザの接触を検出し、接触の検出結果（接触位置、接触時間、接触位置の変化、等）を制御部１０１へ出力する。制御部１０１は、接触の検出結果
から、行われた操作を判断する。本実施例では、タッチパネル１０６は、液晶パネル１０７の表示面（画面）上に設けられている。タッチパネル１０６は、他の位置に設けられていてもよい。
【００２４】
撮像装置に対してユーザが表示モード設定操作を行うと、制御部１０１は、表示モード設定操作に対応する表示モードを設定する。制御部１０１は、複数の表示モードのうちの１つ以上の表示モードを設定できる。撮像装置に対してユーザが表示モード解除操作を行うと、制御部１０１は、表示モード解除操作に対応する表示モードの設定を解除する。同様に、撮像装置に対してユーザが露出モード設定操作を行うと、制御部１０１は、露出モード設定操作に対応する露出モードを設定する。撮像装置に対してユーザが露出モード解除操作を行うと、制御部１０１は、露出モード解除操作に対応する露出モードの設定を解除する。
【００２５】
制御部１０１の表示制御により、画像データ（入力画像データ）に基づく画像が液晶表示部１０５に表示される。具体的には、制御部１０１から液晶パネル１０７へ画像データが出力されると、液晶パネル１０７の透過率が、液晶パネル１０７へ出力された画像データに応じた透過率に制御される。バックライトユニット１０８は、液晶パネル１０７の背面に光を照射する。そして、バックライトユニット１０８からの光が液晶パネル１０７を透過することにより、画像が表示される。
【００２６】
バックライト駆動部１０９は、バックライトユニット１０８へ駆動信号を供給する。例えば、バックライト駆動部１０９は、バックライトユニット１０８へ電流を供給する電源回路である。バックライトユニット１０８は、供給された駆動信号に応じた発光輝度（発光量）で発光する。制御部１０１は、バックライトユニット１０８の発光輝度を制御できる。具体的には、制御部１０１は、バックライト駆動部１０９から出力される駆動信号を制御できる。駆動信号が制御されることにより、バックライトユニット１０８の発光輝度が制御される。制御部１０１は、例えば、入力画像データ、撮像装置に対する操作、等に基づいて、駆動信号（バックライトユニット１０８の発光輝度）を制御する。本実施例では、制御部１０１は、１０００ｃｄ／ｍ２以下の範囲で液晶表示部１０５の表示輝度（表示面上の輝度）の上限が制御されるように、駆動信号を制御できる。
【００２７】
データ処理部１１０は、入力画像データと入力音声データを取得する。例えば、再生処理が行われている期間において、データ処理部１１０は、記録・再生部１０４から出力された画像データを入力画像データとして取得し、記録・再生部１０４から出力された音声データを入力音声データとして取得する。再生処理が行われていない期間において、データ処理部１１０は、信号処理部１０３から出力された画像データを入力画像データとして取得し、信号処理部１０３から出力された音声データを入力音声データとして取得する。本実施例では、撮像装置に対してユーザが再生操作を行うと、制御部１０１は、記録・再生部１０４に対して再生処理の実行を指示し、記録・再生部１０４は再生処理を行う。
【００２８】
データ処理部１１０は、取得したデジタルデータに所定のデータ処理を施す。所定のデータ処理は、入力画像データに対する処理、入力音声データに対する処理、または、それらの両方を含む。所定のデータ処理は、例えば、デジタルデータのデータフォーマットを変換するフォーマット変換処理、入力画像データの画像サイズを変換するリサイズ処理、グラフィック画像データを入力画像データに合成する合成処理、等を含む。グラフィック画像データは、例えば、メニュー画像などを表すＯＳＤ（Ｏｎ  Ｓｃｒｅｅｎ  Ｄｉｓｐｌａｙ）画像データである。データ処理部１１０は、所定のデータ処理後の画像データを表示処理部１１１へ出力し、所定のデータ処理後の音声データをスピーカーへ出力する。スピーカーは、スピーカーへ出力された音声データに応じた音声を発する。
【００２９】
また、データ処理部１１０は、信号処理部１０３から出力されたデジタルデータ（画像データと音声データ）を、記録・再生部１０４へ出力できる。本実施例では、撮像装置に対してユーザが記録操作を行うと、制御部１０１は、記録・再生部１０４に対して記録処理の実行を指示し、データ処理部１１０は、信号処理部１０３から出力されたデジタルデータを記録・再生部１０４へ出力する。そして、記録・再生部１０４は記録処理を行う。
【００３０】
本実施例では、撮像された画像データ（撮像画像データ；被写体の画像を表す画像データ）が、入力画像データとして使用される。しかしながら、入力画像データは撮像画像データに限られない。例えば、入力画像データは、コンピューターグラフィック画像データ、イラスト画像データ、等であってもよい。また、入力画像データは、静止画像データであってもよいし、動画像データであってもよい。
【００３１】
表示処理部１１１は、設定されている表示モードや露出モードに基づく処理を行う。そして、表示処理部１１１は、上記処理（設定されている表示モードや露出モードに基づく処理）後の画像データを、液晶パネル１０７へ出力する。液晶パネル１０７へ出力される画像データは、データ処理部１１０から出力された入力画像データに基づく画像データである。そのため、液晶表示部１０５において、入力画像データに基づく画像が表示される。
【００３２】
電源操作部１１２は、撮像装置の起動を指示する起動操作と、撮像装置の停止を指示する停止操作とを受け付け可能な操作部（スイッチなど）である。起動操作は「オフ状態からオン状態への切り替え（撮像装置の電源状態の切り替え）を指示する操作」とも言えるし、停止操作は「オン状態からオフ状態への電源状態の切り替えを指示する操作」とも言える。撮像装置に対してユーザが起動操作を行うと、制御部１０１は、撮像装置を起動するための起動処理を行う。撮像装置に対してユーザが停止操作を行うと、制御部１０１は、撮像装置を停止するための停止処理を行う。
【００３３】
操作部１１３は、撮像装置に対する様々な操作を受け付け可能な操作部（スイッチなど）である。例えば、操作部１１３は、表示モード設定操作、表示モード解除操作、露出モード設定操作、露出モード解除操作、記録操作、再生操作、等を受け付けることができる。操作部１１３が受け付け可能な操作は、タッチパネル１０６が受け付け可能な操作と同じであってもよいし、異なっていてもよい。
【００３４】
メモリ１１４は、制御部１０１の処理で使用されるデータなどを一時的に記憶する。
【００３５】
ＨＤＲアシストモード検出部１１５は、ＨＤＲアシストモードの設定を検出する。そして、ＨＤＲアシストモード検出部１１５は、ＨＤＲアシストモードの設定の検出結果を、表示処理部１１１へ出力する。換言すれば、ＨＤＲアシストモード検出部１１５は、ＨＤＲアシストモードが設定されているか否かを判断する。そして、ＨＤＲアシストモード検出部１１５は、ＨＤＲアシストモードが設定されているか否かの判断結果を、表示処理部１１１へ出力する。
【００３６】
ＨＤＲアシストモードは、表示対象とされるデータ輝度範囲における入力画像データの階調性の低下を抑制して入力画像データに基づく画像を液晶表示部１０５に表示するための表示モードである。表示対象とされるデータ輝度範囲は、表示対象とされるデータ輝度の範囲であり、入力画像データのダイナミックレンジの少なくとも一部などである。データ輝度は、撮像装置の露出（露光量）に応じて決まる輝度、画像データで想定された輝度、等である。ＨＤＲアシストモードは、例えば、対象データ輝度範囲（表示対象とされるデータ輝度範囲）における入力画像データの階調性をユーザが確認する場合に設定される。
【００３７】
入力画像データのダイナミックレンジ全体（下限データ輝度以上かつ上限データ輝度以下のデータ輝度範囲）が表示対象とされる場合には、例えば、ＨＤＲアシストモードでの表示（ＨＤＲアシスト表示）として、図４に示す対応関係での表示が実現される。図４は、入力画像データのデータ輝度と液晶表示部１０５の表示輝度との対応関係を示す。入力画像データのデータ輝度と液晶表示部１０５の表示輝度との対応関係は、「表示装置の入出力特性」、「液晶表示部１０５の入出力特性」、等とも言える。図４の入出力特性では、下限データ輝度から上限データ輝度への入力画像データのデータ輝度の増加に対して、液晶表示部１０５の表示輝度が下限表示輝度から上限表示輝度へ線形に増加する。下限データ輝度はデータ輝度の下限であり、上限データ輝度はデータ輝度の上限であり、下限表示輝度は表示輝度の下限であり、上限表示輝度は表示輝度の上限である。なお、図４には所定の輝度に対する相対輝度がデータ輝度として示されているが、データ輝度は絶対輝度であってもよい。
【００３８】
屋内／屋外モード検出部１１６は、屋内／屋外モードの設定を検出する。そして、屋内／屋外モード検出部１１６は、屋内／屋外モードの設定の検出結果を、制御部１０１（表示処理部１１１など）へ出力する。換言すれば、屋内／屋外モード検出部１１６は、屋内／屋外モードが設定されているか否かを判断する。そして、屋内／屋外モード検出部１１６は、屋内／屋外モードが設定されているか否かの判断結果を、制御部１０１（表示処理部１１１など）へ出力する。
【００３９】
屋内モードは、屋内で適正露出の画像データを撮像するための露出モードであり、屋外モードは、屋外で適正露出の画像データを撮像するための露出モードである。制御部１０１は、設定されている露出モードに応じた値を露出量の基準値とする露出制御が行われるように、信号処理部１０３の露出制御を制御する。本実施例では、屋内の輝度は屋外の輝度よりも低い。すなわち、屋内モードに対応する環境の輝度は、屋外モードに対応する環境の輝度よりも低い。そのため、屋内モードに応じた基準値は、屋外モードに応じた基準値よりも小さい。
【００４０】
表示処理部１１１の構成について、図２を用いて説明する。図２は、表示処理部１１１の構成例を示す。入力画像データのデータフォーマットは特に限定されないが、本実施例では、データ処理部１１０から階調変換部２００へ、入力画像データ（具体的には、所定のデータ処理後の画像データ）としてＹＣｂＣｒデータ（変換前ＹＣｂＣｒデータ）が出力される。ＹＣｂＣｒデータは、各画素値がＹＣｂＣｒ値（Ｙ値、Ｃｒ値、及び、Ｃｂ値の組み合わせ）の画像データである。
【００４１】
階調変換部２００は、変換前ＹＣｂＣｒデータの各階調値を変換することにより、変換後ＹＣｂＣｒデータを生成する。本実施例では、階調変換部２００は、変換前ＹＣｂＣｒデータのＹＣｂＣｒ値と、変換後ＹＣｂＣｒデータのＹＣｂＣｒ値との対応関係を示す３次元ルックアップテーブル（３ＤＬＵＴ）を用いて、変換前ＹＣｂＣｒデータの各ＹＣｂＣｒ値を変換する。そして、階調変換部２００は、変換後ＹＣｂＣｒデータを、Ｇａｉｎ／シャープネス補正部２０１とＧａｉｎ／色補正部２０２へ出力する。具体的には、階調変換部２００は、変換後ＹＣｂＣｒデータに含まれる輝度データ（各Ｙ値）をＧａｉｎ／シャープネス補正部２０１へ出力し、変換後ＹＣｂＣｒデータに含まれる色差データ（各Ｃｂ値と各Ｃｒ値）をＧａｉｎ／色補正部２０２へ出力する。なお、階調値の変換方法は、特に限定されない。例えば、階調変換部２００は、ルックアップテーブルの代わりに、変換前の値（階調値、画素値、等）と変換後の値との対応関係を示す関数を使用してもよい。
【００４２】
Ｇａｉｎ／シャープネス補正部２０１は、変換後ＹＣｂＣｒデータに含まれる輝度デー
タに所定の処理を施すことにより、処理輝度データを生成する。所定の処理は、例えば、階調値を調整するゲイン調整処理、エッジを強調するシャープネス補正処理、等を含む。そして、Ｇａｉｎ／シャープネス補正部２０１は、処理輝度データをＲＧＢ変換部２０３へ出力する。
【００４３】
Ｇａｉｎ／色補正部２０２は、変換後ＹＣｂＣｒデータに含まれる色差データに所定の処理を施すことにより、処理色差データを生成する。所定の処理は、例えば、ゲイン調整処理、色（彩度、色相、等）を調整する色補正処理、等を含む。そして、Ｇａｉｎ／色補正部２０２は、処理色差データをＲＧＢ変換部２０３へ出力する。
【００４４】
ＲＧＢ変換部２０３は、処理輝度データと処理色差データの組み合わせ（各画素値が、処理画像データのＹ値、処理色差データのＣｂ値、及び、処理色差データのＣｒ値の組み合わせであるＹＣｂＣｒデータ）を、ＲＧＢデータに変換する。ＲＧＢデータは、各画素値がＲＧＢ値（Ｒ値、Ｇ値、及び、Ｂ値の組み合わせ）の画像データである。例えば、ＲＧＢ変換部２０３は、一次元マトリクス演算処理により、ＹＣｂＣｒデータをＲＧＢデータに変換する。そして、ＲＧＢ変換部２０３は、ＲＧＢデータを液晶パネル１０７へ出力する。
【００４５】
本実施例では、階調変換部２００の処理が少なくとも行われることにより、液晶表示部１０５の入出力特性を変換する特性変換処理が実現される。本実施例に係る特性変換処理（ＨＤＲアシストモードが設定されていない場合の特性変換処理、及び、ＨＤＲアシストモードが設定されている場合の特性変換処理）の一例について説明する。図３は、特性変換処理に関する機能部の一例を示す。図３に示すように、本実施例では、データ処理部１１０から階調変換部２００へ、入力画像データ（具体的には、所定のデータ処理後の画像データ）が出力される。階調変換部２００は、入力画像データの各階調値を変換する。そして、各階調値が変換された後の画像データが、液晶パネル１０７へ出力され、表示される。
【００４６】
ＨＤＲアシストモードが設定されていない場合には、制御部１０１は、入力画像データに対してより忠実な入出力特性で入力画像データに基づく画像を液晶表示部１０５に表示するための特性変換処理を行う。本実施例では、ＨＤＲアシストモードが設定されていない場合には、制御部１０１は、図５に示す入出力特性を実現するための特性変換処理を行う。具体的には、階調変換部２００は、図５の入出力特性に応じたＬＵＴ（例えば、ＢＴ．７０９規格に準拠した３ＤＬＵＴ）を用いて、入力画像データの各階調値を変換する。それにより、図５の入出力特性が実現される。
【００４７】
ＨＤＲアシストモードが設定されていない場合には、ユーザは、操作部（タッチパネル１０６や操作部１１３）を用いて、液晶表示部１０５の上限表示輝度を２５０ｃｄ／ｍ２以上かつ４５０ｃｄ／ｍ２以下の範囲で指定できる。ユーザが操作部を用いて上限表示輝度を指定すると、制御部１０１は、指定された上限表示輝度を操作部から取得し、指定された上限表示輝度に基づいてバックライトユニット１０８の発光輝度を制御（変換）する。それにより、指定された上限表示輝度に液晶表示部１０５の上限表示輝度が制御（変換）される。上限表示輝度が変わると、液晶表示部１０５の入出力特性も変わる。
【００４８】
なお、制御部１０１は、指定された上限表示輝度に基づいて階調変換部２００のＬＵＴを制御（変換）することにより、液晶表示部１０５の上限表示輝度を制御（変換）してもよい。制御部１０１は、指定された上限表示輝度に基づいて、階調変換部２００のＬＵＴとバックライトユニット１０８の発光輝度との一方を制御してもよいし、それらの両方を制御してもよい。液晶表示部１０５の代わりに自発光型の表示部が使用される場合には、制御部１０１は、指定された上限表示輝度に基づいて、階調変換部２００のＬＵＴを制御
する。
【００４９】
ＨＤＲアシストモードが設定されている場合には、制御部１０１は、対象データ輝度範囲における入力画像データの階調性の低下を抑制して入力画像データに基づく画像を液晶表示部１０５に表示するための特性変換処理を行う。本実施例では、ユーザは、操作部（タッチパネル１０６や操作部１１３）を用いて対象データ輝度範囲の最大データ輝度（データ輝度の最大値）を指定し、制御部１０１は、指定された最大データ輝度を上記操作部から取得する（輝度取得）。そして、制御部１０１は、ＨＤＲアシストモードの特性変換処理において、指定された最大データ輝度に基づいて液晶表示部１０５の上限表示輝度を制御（変換）する輝度制御を行う。
【００５０】
例えば、ＨＤＲアシストモードが設定されている場合には、階調変換部２００は、指定された最大データ輝度を入力画像データの上限データ輝度とみなして、図４に示す入出力特性での表示が実現されるように、入力画像データの各階調値を変換する。具体的には、階調変換部２００は、液晶パネル１０７が有する特性の逆特性（逆ガンマ特性に類似した特性）に対応するＬＵＴ（３ＤＬＵＴ）を用いて、入力画像データの各階調値を変換する。それにより、下限データ輝度から上限データ輝度（指定された最大データ輝度）への入力画像データのデータ輝度の増加に対して液晶表示部１０５の表示輝度が下限表示輝度から上限表示輝度へ線形に増加する入出力特性（図４の入出力特性）が実現される。
【００５１】
そして、制御部１０１は、指定された最大データ輝度に基づいて、バックライトユニット１０８の発光輝度を制御（変換）する。バックライトユニット１０８の発光輝度の制御に応じて、液晶表示部１０５の上限表示輝度が制御（変換）される。上述したように、上限表示輝度が変わると、液晶表示部１０５の入出力特性も変わる。具体的には、図４の入出力特性の傾きが変わる。
【００５２】
なお、制御部１０１は、指定された最大データ輝度に基づいて階調変換部２００のＬＵＴを制御（変換）することにより、液晶表示部１０５の上限表示輝度を制御（変換）してもよい。制御部１０１は、最大データ輝度に基づいて、階調変換部２００のＬＵＴとバックライトユニット１０８の発光輝度との一方を制御してもよいし、それらの両方を制御してもよい。液晶表示部１０５の代わりに自発光型の表示部が使用される場合には、制御部１０１は、最大データ輝度に基づいて、階調変換部２００のＬＵＴを制御する。
【００５３】
本実施例では、ユーザは、対象データ輝度範囲の最大データ輝度として、４００％または１６００％を指定できる。入力画像データに含まれるデータ輝度の殆どは０％以上かつ１００％以下である。そのため、図４の入出力特性で入力画像データの上限データ輝度が１６００％である場合には、液晶表示部１０５の上限表示輝度が或る程度高くないと、全体的に暗い画像が表示されてしまう。そこで、本実施例では、最大データ輝度１６００％が指定された場合に、制御部１０１は、液晶表示部１０５の上限表示輝度を１０００ｃｄ／ｍ２に制御する。その結果、液晶表示部１０５の入出力特性として、図６の入出力特性６０１（実線）が実現される。入出力特性６０１では、最大データ輝度１６００％に上限表示輝度１０００ｃｄ／ｍ２が対応付けられている。そして、入出力特性６０１では、０％以上かつ１６００％以下の対象データ輝度範囲において、入力画像データのデータ輝度の増加に対して、液晶表示部１０５の表示輝度が線形に増加する。これにより、全体的に暗い画像が表示されることが抑制され、ユーザにとって好適な表示（対象データ輝度範囲における入力画像データの階調性を確認しやすい表示；視認性の高い表示）が実現される。
【００５４】
一方で、図４の入出力特性で入力画像データの上限データ輝度が４００％である場合には、液晶表示部１０５の上限表示輝度が或る程度低くても、全体的に明るい画像が表示さ
れる。そこで、本実施例では、最大データ輝度４００％が指定された場合に、制御部１０１は、液晶表示部１０５の上限表示輝度を６００ｃｄ／ｍ２に制御する。その結果、液晶表示部１０５の入出力特性として、図６の入出力特性６０２（一点鎖線）が実現される。入出力特性６０２では、最大データ輝度４００％に上限表示輝度６００ｃｄ／ｍ２が対応付けられている。そして、入出力特性６０２では、０％以上かつ４００％以下の対象データ輝度範囲において、入力画像データのデータ輝度の増加に対して、液晶表示部１０５の表示輝度が線形に増加する。
【００５５】
これにより、ユーザと撮像装置の両方にとって好適な表示が実現される。具体的には、液晶表示部１０５の上限表示輝度が１０００ｃｄ／ｍ２よりも低い６００ｃｄ／ｍ２に制御されるため、撮像装置の消費電力や温度の増加を抑制できる。そして、入力画像データの上限データ輝度（最大データ輝度）が４００％である場合には、液晶表示部１０５の上限表示輝度が或る程度低くても、全体的に明るい画像が表示される。そのため、液晶表示部１０５の上限表示輝度が６００ｃｄ／ｍ２に制御されても、全体的に明るい画像が表示され、ユーザにとって好適な表示（対象データ輝度範囲における入力画像データの階調性を確認しやすい表示；視認性の高い表示）が実現される。
【００５６】
より具体的には、入出力特性６０２は、入出力特性６０１と入出力特性６０３（破線）の間の入出力特性である。そのため、入出力特性６０２を用いることにより、入出力特性６０３を用いた場合の表示画像（表示面に表示された画像）に比べ全体的に暗い表示画像を得ることができる（表示輝度の低減）。このような表示輝度の低減により、撮像装置の消費電力や温度の増加を抑制できる。また、入出力特性６０２を用いることにより、入出力特性６０１を用いた場合の表示画像に比べ全体的に明るい表示画像を得ることができる（表示輝度の増加）。このような表示輝度の増加により、表示画像の視認性を向上でき、対象データ輝度範囲における入力画像データの階調性を確認しやすい表示画像を得ることができる。入出力特性６０３では、上限表示輝度が１０００ｃｄ／ｍ２であり、０％から４００％への入力画像データのデータ輝度の増加に対して、液晶表示部１０５の表示輝度が０ｃｄ／ｍ２から１０００ｃｄ／ｍ２へ線形に増加する。
【００５７】
図７は、対象データ輝度範囲の最大データ輝度と液晶表示部１０５の上限表示輝度との対応関係の一例を示す。上述したように、制御部１０１は、最大データ輝度１６００％が指定された場合に、液晶表示部１０５の上限表示輝度を１０００ｃｄ／ｍ２に制御し、最大データ輝度４００％が指定された場合に、液晶表示部１０５の上限表示輝度を６００ｃｄ／ｍ２に制御する。
【００５８】
なお、対象データ輝度範囲の最大データ輝度は、入力画像データの上限データ輝度と等しくてもよいし、異なってもよい。対象データ輝度範囲の最大データ輝度は、入力画像データの上限データ輝度より高くても低くてもよい。制御部１０１は、ＨＤＲアシストモードの特性変換処理において、入力画像データの入出力特性を、指定された最大データ輝度よりも高いデータ輝度に上限表示輝度が対応付けられた入出力特性に制御する。具体的には、階調変換部２００は、指定された最大データ輝度よりも高いデータ輝度が最大データ輝度に変換されるように、入力画像データの各階調値を変換する。入出力特性６０２では、最大データ輝度４００％よりも高いデータ輝度に、上限表示輝度６００ｃｄ／ｍ２が対応付けられている。同様に、対象データ輝度範囲の最小データ輝度（データ輝度の最小値）は、入力画像データの下限データ輝度と等しくてもよいし、異なってもよい。対象データ輝度範囲の最小データ輝度は、入力画像データの下限データ輝度より高くても低くてもよい。
【００５９】
なお、ＨＤＲアシストモードに対応する液晶表示部１０５の入出力特性は、入出力特性６０１，６０２に限られない。対象データ輝度範囲の最大データ輝度（４００％や１６０
０％）に対応付けられる液晶表示部１０５の上限表示輝度は、上述した上限表示輝度（１０００ｃｄ／ｍ２や６００ｃｄ／ｍ２）に限られない。例えば、入力画像データの下限データ輝度は、液晶表示部１０５の下限表示輝度とは異なる表示輝度に対応付けられてもよい。入力画像データの下限データ輝度に対応付けられる表示輝度は、液晶表示部１０５の下限表示輝度より高くても低くてもよい。対象データ輝度範囲の少なくとも一部において、入力画像データのデータ輝度の変化に対して液晶表示部１０５の表示輝度が非線形に変化してもよい。対象データ輝度範囲の最大データ輝度に液晶表示部１０５の上限表示輝度が対応付けられれば、対象データ輝度範囲における入力画像データの階調性が比較的高い入出力特性を実現でき、ユーザにとって好適な表示を実現できる。そして、最大データ輝度が低い場合に、最大データ輝度が高い場合の上限表示輝度よりも低い上限表示輝度に液晶表示部１０５の上限表示輝度が制御されれば、撮像装置にとって好適な表示を実現できる。
【００６０】
なお、４００％と１６００％の２つの最大データ輝度の一方が指定される例を説明したが、指定可能な最大データ輝度の数は２つより多くてもよい。例えば、５つの最大データ輝度にそれぞれ対応する５つの上限表示輝度が予め定められ、５つの最大データ輝度のいずれかが指定されてもよい。そして、指定された最大データ輝度に対応する上限表示輝度に、液晶表示部１０５の上限表示輝度が制御されてもよい。
【００６１】
なお、ユーザによって指定された最大データ輝度（最大データ輝度を示す情報）が取得される例を説明したが、最大データ輝度に関する他の情報が取得されて使用されてもよい。また、対象データ輝度範囲の最大データ輝度の指定方法は特に限定されない。最大データ輝度が直接指定されてもよい。複数の最大データ輝度にそれぞれ対応する複数のＨＤＲアシストモードを撮像装置が有し、ＨＤＲアシストモードが指定されることにより、指定されたＨＤＲアシストモードに応じた最大データ輝度が間接的に指定されてもよい。指定された最大データ輝度に関する情報として、指定されたＨＤＲアシストモードを示す情報が取得されて使用されてもよい。
【００６２】
なお、対象データ輝度範囲の最大データ輝度が考慮される所定の表示モードはＨＤＲアシストモードに限られない。複数の表示モード（所定の表示モード）のそれぞれにおいて最大データ輝度が考慮されてもよい。或る所定の表示モードが設定されている状態で他の所定の表示モードが設定された場合に、最大データ輝度が考慮されてもよい。所定の表示モードが設定されているか否かに依らずに最大データ輝度が考慮されてもよい。
【００６３】
以上述べたように、本実施例によれば、ユーザによって指定された最大データ輝度に基づいて、液晶表示部１０５の上限表示輝度が制御される。それにより、ユーザおよび撮像装置（表示装置）にとって好適な表示をより確実に実現できる。
【００６４】
＜実施例２＞
以下、本発明の実施例２について説明する。なお、以下では、実施例１と異なる点（構成および処理）について詳しく説明し、実施例１と同じ点についての説明は省略する。実施例１では、ユーザによって指定された最大データ輝度に基づく輝度制御が行われる例を説明した。本実施例では、撮像装置の露出量の基準値としてユーザによって指定された値に基づく輝度制御が行われる例を説明する。本実施例では、対象データ輝度範囲が０％以上かつ１６００％以下のデータ輝度範囲である例を説明する。
【００６５】
制御部１０１は、屋内／屋外モードの設定の検出結果である露出情報を、屋内／屋外モード検出部１１６から取得する（露出取得）。露出情報は、例えば、設定されている露出モード（屋内／屋外モード）、設定されている露出モードに応じた基準値、等を示す。そして、制御部１０１は、ＨＤＲアシストモードの特性変換処理において、露出情報に基づ
いて液晶表示部１０５の上限表示輝度を制御（変換）する輝度制御を行う。
【００６６】
例えば、ＨＤＲアシストモードが設定されている場合には、階調変換部２００は、実施例１と同様に、図４に示す入出力特性での表示が実現されるように、入力画像データの各階調値を変換する。そして、露出情報に基づいて、バックライトユニット１０８の発光輝度を制御（変換）する。バックライトユニット１０８の発光輝度の制御に応じて、液晶表示部１０５の上限表示輝度が制御（変換）される。
【００６７】
なお、制御部１０１は、露出情報に基づいて階調変換部２００のＬＵＴを制御（変換）することにより、液晶表示部１０５の上限表示輝度を制御（変換）してもよい。制御部１０１は、露出情報に基づいて、階調変換部２００のＬＵＴとバックライトユニット１０８の発光輝度との一方を制御してもよいし、それらの両方を制御してもよい。液晶表示部１０５の代わりに自発光型の表示部が使用される場合には、制御部１０１は、露出情報に基づいて、階調変換部２００のＬＵＴを制御する。
【００６８】
実施例１で述べたように、屋外モードに対応する環境の輝度は比較的高い。そして、環境（外光；環境光）の輝度の増加により、表示画像の視認性が低下する。そのため、屋外モードに対応する環境下では、液晶表示部１０５の上限表示輝度が或る程度高くないと、視認性の低い画像が表示されてしまう。そこで、本実施例では、屋外モードが設定されている場合（屋外モードに応じた基準値が指定された場合）に、制御部１０１は、液晶表示部１０５の上限表示輝度を１０００ｃｄ／ｍ２に制御する。その結果、図６の入出力特性６０１（実線）が実現される。これにより、ユーザにとって好適な表示（対象データ輝度範囲における入力画像データの階調性を確認しやすい表示；視認性の高い表示）が実現される。
【００６９】
一方で、屋内モードに対応する環境の輝度は比較的低い。そのため、屋内モードに対応する環境下では、液晶表示部１０５の上限表示輝度が或る程度低くても、視認性の高い画像を表示できる。そこで、本実施例では、屋内モードが設定されている場合（屋内モードに応じた基準値が指定された場合）に、制御部１０１は、液晶表示部１０５の上限表示輝度を６００ｃｄ／ｍ２に制御する。その結果、図６の入出力特性６０４（二点鎖線）が実現される。実施例１で述べたように、屋内モードに応じた基準値は、屋外モードに応じた基準値よりも小さい。入出力特性６０４では、最大データ輝度１６００％に上限表示輝度１０００ｃｄ／ｍ２が対応付けられている。そして、入出力特性６０４では、０％以上かつ１６００％以下の対象データ輝度範囲において、入力画像データのデータ輝度の増加に対して、液晶表示部１０５の表示輝度が線形に増加する。
【００７０】
これにより、ユーザと撮像装置の両方にとって好適な表示が実現される。具体的には、液晶表示部１０５の上限表示輝度が１０００ｃｄ／ｍ２よりも低い６００ｃｄ／ｍ２に制御されるため、撮像装置の消費電力や温度の増加を抑制できる。そして、屋内モードに対応する環境下では、液晶表示部１０５の上限表示輝度が或る程度低くても、視認性の高い画像が表示される。そのため、液晶表示部１０５の上限表示輝度が６００ｃｄ／ｍ２に制御されても、ユーザにとって好適な表示（対象データ輝度範囲における入力画像データの階調性を確認しやすい表示；視認性の高い表示）を実現できる。
【００７１】
図８は、露出モードと上限表示輝度の対応関係の一例を示す。上述したように、制御部１０１は、屋外モードが設定されている場合に、液晶表示部１０５の上限表示輝度を１０００ｃｄ／ｍ２に制御し、屋内モードが設定されている場合に、液晶表示部１０５の上限表示輝度を６００ｃｄ／ｍ２に制御する。
【００７２】
なお、ＨＤＲアシストモードが設定されている場合の入出力特性や上限表示輝度は上述
したそれらに限られない。対象データ輝度範囲は特に限定されない。例えば、対象データ輝度範囲の最大データ輝度は１６００％より高くても低くてもよい。
【００７３】
なお、ＨＤＲアシストモードで考慮される露出モードは屋内モードと屋外モードの２つの露出モードに限られない。ＨＤＲアシストモードで考慮される露出モードの数は２つより多くてもよい。例えば、５つの露出モード（５つの基準値）にそれぞれ対応する５つの上限表示輝度が予め定められ、５つの露出モードのうちの、設定されている露出モードに対応する上限表示輝度に、液晶表示部１０５の上限表示輝度が制御されてもよい。
【００７４】
なお、ユーザが露出モードを指定することで露出量の基準値を間接的に指定する例を説明したが、基準値の指定方法は特に限定されない。例えば、ユーザは、基準値を直接指定してもよい。露出情報は、露出モードを示す情報、露出量の基準値を示す情報、等に限られない。露出情報は、基準値に関する情報であればよい。例えば、露出情報は、絞りとシャッタースピードを示す情報であってもよい。表示装置が撮像装置とは別体の装置である場合には、表示装置は、撮像装置から露出情報を取得してもよい。
【００７５】
以上述べたように、本実施例によれば、露出量の基準値としてユーザによって指定された値に基づいて、液晶表示部１０５の上限表示輝度が制御される。それにより、ユーザおよび撮像装置（表示装置）にとって好適な表示をより確実に実現できる。
【００７６】
＜実施例３＞
以下、本発明の実施例３について説明する。なお、以下では、実施例１，２と異なる点（構成および処理）について詳しく説明し、実施例１，２と同じ点についての説明は省略する。本実施例では、ユーザによって指定された最大データ輝度と基準値に基づく輝度制御が行われる例を説明する。つまり、本実施例では、実施例１と実施例２の組み合わせの例を説明する。
【００７７】
ＨＤＲアシストモードが設定されている場合には、階調変換部２００は、実施例１と同様に、指定された最大データ輝度を入力画像データの上限データ輝度とみなして、図４に示す入出力特性での表示が実現されるように、入力画像データの各階調値を変換する。そして、ＨＤＲアシストモードが設定されている場合には、制御部１０１は、指定された最大データ輝度と基準値（露出情報）に基づいて、バックライトユニット１０８の発光輝度を制御（変換）する。
【００７８】
本実施例では、最大データ輝度１６００％が指定され、且つ、屋外モードが設定されている場合に、制御部１０１は、液晶表示部１０５の上限表示輝度を１０００ｃｄ／ｍ２に制御する。その結果、図６の入出力特性６０１（実線）が実現される。これにより、ユーザにとって好適な表示（対象データ輝度範囲における入力画像データの階調性を確認しやすい表示；視認性の高い表示）が実現される。その理由は、実施例１，２で述べたとおりである。
【００７９】
最大データ輝度１６００％が指定され、且つ、屋内モードが設定されている場合には、制御部１０１は、液晶表示部１０５の上限表示輝度を６００ｃｄ／ｍ２に制御する。その結果、図６の入出力特性６０４（二点鎖線）が実現される。これにより、ユーザと撮像装置の両方にとって好適な表示が実現される。その理由は、実施例２で述べたとおりである。
【００８０】
最大データ輝度４００％が指定され、且つ、屋外モードが設定されている場合には、制御部１０１は、液晶表示部１０５の上限表示輝度を６００ｃｄ／ｍ２に制御する。その結果、図６の入出力特性６０２（一点鎖線）が実現される。これにより、ユーザと撮像装置
の両方にとって好適な表示が実現される。その理由は、実施例１で述べたとおりである。また、６００ｃｄ／ｍ２という比較的高い表示輝度に上限表示輝度が制御されることにより、比較的明るい環境下での視認性の高い表示が実現される。
【００８１】
そして、最大データ輝度４００％が指定され、且つ、屋内モードが設定されている場合に、制御部１０１は、液晶表示部１０５の上限表示輝度を４００ｃｄ／ｍ２に制御する。その結果、図６の入出力特性６０５（点線）が実現される。入出力特性６０５では、最大データ輝度４００％に上限表示輝度４００ｃｄ／ｍ２が対応付けられている。そして、入出力特性６０５では、０％以上かつ４００％以下の対象データ輝度範囲において、入力画像データのデータ輝度の増加に対して、液晶表示部１０５の表示輝度が線形に増加する。これにより、ユーザと撮像装置の両方にとって好適な表示が実現される。実施例１で述べたように、図４の入出力特性で入力画像データの上限データ輝度が４００％である場合には、液晶表示部１０５の上限表示輝度が或る程度低くても、全体的に明るい画像が表示される。そして、実施例２で述べたように、環境の輝度が比較的低い屋内モードでは、液晶表示部１０５の上限表示輝度が或る程度低くても、視認性の高い画像を表示できる。そのため、４００ｃｄ／ｍ２という比較的低い表示輝度に液晶表示部１０５の上限表示輝度が制御されても、ユーザにとって好適な表示を実現できる。また、４００ｃｄ／ｍ２という比較的低い表示輝度に液晶表示部１０５の上限表示輝度が制御されることにより、撮像装置の消費電力や温度の増加をより抑制できる。
【００８２】
図９は、最大データ輝度、露出モード、及び、上限表示輝度の対応関係の一例を示す。上述したように、最大データ輝度１６００％が指定され且つ屋外モードが設定されている場合に、制御部１０１は、液晶表示部１０５の上限表示輝度を１０００ｃｄ／ｍ２に制御する。最大データ輝度１６００％が指定され且つ屋内モードが設定されている場合に、制御部１０１は、液晶表示部１０５の上限データ輝度を６００ｃｄ／ｍ２に制御する。最大データ輝度４００％が指定され且つ屋外モードが設定されている場合に、制御部１０１は、液晶表示部１０５の上限表示輝度を６００ｃｄ／ｍ２に制御する。そして、最大データ輝度４００％が指定され且つ屋内モードが設定されている場合に、制御部１０１は、液晶表示部１０５の上限データ輝度を４００ｃｄ／ｍ２に制御する。
【００８３】
以上述べたように、本実施例によれば、ユーザによって指定された最大データ輝度と基準値とに基づいて、液晶表示部１０５の上限表示輝度が制御される。それにより、ユーザおよび撮像装置（表示装置）にとって好適な表示を実施例１，２よりも確実に実現できる。
【００８４】
実施例１〜３の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００８５】
実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【００８６】
＜その他の実施例＞
本発明は、上述の実施例の１以上の機能を実現するプログラムを、ネットワーク又は記
憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８７】
１０１：制御部  １０５：液晶表示部  １０７：液晶パネル
１０８：バックライトユニット  １０９：バックライト駆動部
１１０：データ処理部  １１１：表示処理部  ２００：階調変換部
【図１】
2019053147.tif 000003
【図２】
2019053147.tif 000004
【図３】
2019053147.tif 000005
【図４】
2019053147.tif 000006
【図５】
2019053147.tif 000007
【図６】
2019053147.tif 000008
【図７】
2019053147.tif 000009
【図８】
2019053147.tif 000010
【図９】
2019053147.tif 000011